(57)【要約】【課題】  本発明は、上記事情に鑑み、低コスト、小型化が実現され、温度変化による周波数シフトの問題を解消する工夫が施された周波数変換器を提供する。【解決手段】上記目的を達成する本発明の周波数変換器は、入力信号を第１の信号に周波数変換する第１の周波数変換部と、特定の周波数の特定信号を減衰させるフィルタと、上記フィルタにて上記特定信号が減衰された後の第１の信号を所望の周波数である第２の信号に変換する第２の周波数変換部と、上記フィルタの温度を測定する温度測定部と、上記フィルタの温度変化により発生する該フィルタの減衰周波数帯の周波数のシフトを表す温度特性情報を予め記憶しておく温度特性情報記憶部と、を備えたことを特徴とする。【選択図】図１
2008288640.tif 000002
【特許請求の範囲】
【請求項１】
入力信号を所望の周波数の信号に変換する周波数変換器であって、
前記入力信号を第１の信号に周波数変換する第１の周波数変換部と、
前記第１の周波数変換部にて周波数変換の際に生じる特定の周波数範囲の特定信号を減衰させるフィルタと、
前記フィルタにて前記特定信号が減衰された後の前記第１の信号を所望の周波数である第２の信号に変換する第２の周波数変換部と、
前記フィルタの温度を測定する温度測定部と、
前記フィルタの温度変化により発生する該フィルタの減衰周波数帯の周波数のシフトを表す温度特性情報を予め記憶しておく温度特性情報記憶部と、を備え、
前記第１の周波数変換部は、前記温度特性情報に基づいて、前記温度測定部にて測定された温度に対応する前記フィルタの減衰周波数帯の周波数のシフト分ずらして前記入力信号を前記第１の信号に周波数変換し、
前記第２の周波数変換部は、前記第１の周波数変換部にてずらした前記フィルタの減衰周波数帯の周波数のシフト分を戻して前記第２の信号に周波数変換する、ことを特徴とする周波数変換器。
【請求項２】
前記フィルタが、特定の周波数範囲の周波数の信号だけを減衰させ、それ以外の周波数の信号を通過させるＢＥＦ（Ｂａｎｄ  Ｅｌｉｍｉｎａｔｉｏｎ  Ｆｉｌｔｅｒ）である、ことを特徴とする請求項１記載の周波数変換器。
【請求項３】
前記第１の周波数変換部は、前記温度特性情報に基づいて、前記温度測定部にて測定された温度に対応する前記フィルタの減衰周波数帯の周波数のシフト分をずらす第１の混合信号を前記入力信号に混合して前記第１の信号に変換するものであって、
前記第２の周波数変換部は、前記第１の周波数変換部にてずらした前記フィルタの減衰周波数帯の周波数のシフト分を戻す第２の混合信号を前記第１の信号に混合して前記第２の信号に変換するものである、ことを特徴とする請求項１又は２記載の周波数変換器。
【請求項４】
前記第１の周波数変換部は、前記温度測定部にて測定された温度と前記温度特性情報とに基づいて、前記特定信号が前記フィルタの減衰周波数帯を通過するよう前記第１の混合信号を前記入力信号に混合して周波数変換する、ことを特徴とする請求項３記載の周波数変換器。
【請求項５】
前記第１の混合信号を前記第１の周波数変換部に入力し、前記第２の混合信号を前記第２の周波数変換部に入力する混合信号入力部をさらに備えた、ことを特徴とする請求項３又は４記載の周波数変換器。
【請求項６】
前記特定信号は、定倍成分の高調波が含まれている信号を周波数変換させた場合に生じるスプリアスである、ことを特徴とする請求項１から５のうちいずれか１項記載の周波数変換器。
【請求項７】
前記フィルタに加えて、特定の周波数範囲の信号だけを通過させる通過フィルタをさらに備えた、ことを特徴とする請求項１から６のうちいずれか１項記載の周波数変換器。
【請求項８】
外部から入力された信号を受信する受信器と、
この受信した信号を前記入力信号とし、当該入力信号を前記所望の周波数の信号に変換する、請求項１から７のうちいずれか１項記載の周波数変換器と、
前記周波数変換器にて変換された所望の周波数の信号を復調する復調器と、を備えたことを特徴とする受信装置。
【請求項９】
外部に送信する信号を変調する変調器と、
この変調された信号を前記入力信号とし、当該入力信号を所望の周波数の信号に変換する、請求項１から７のうちいずれか１項記載の周波数変換器と、
前記周波数変換器にて変換された所望の周波数の信号を外部に送信する送信器と、を備えたことを特徴とする送信装置。
【請求項１０】
請求項７記載の受信装置と、
請求項８記載の送信装置と、を備えたことを特徴とする通信装置。
【請求項１１】
入力信号を所望の周波数の信号に変換する周波数変換方法であって、
特定の周波数の特定信号を減衰させるフィルタの温度を測定する温度測定工程と、
前記フィルタの温度変化による該フィルタの減衰周波数帯の周波数のシフトを表す温度特性情報とに基づいて、前記温度測定工程にて測定された温度に対応する前記フィルタの減衰周波数帯の周波数のシフト分をずらして前記入力信号を第１の信号に周波数変換する第１の周波数変換工程と、
前記第１の周波数変換工程にて周波数変換の際に生じる前記特定信号を減衰させる減衰工程と、
前記減衰工程にて前記特定信号が減衰された後の第１の信号に対して前記第１の周波数変換部にてずらした前記フィルタの減衰周波数帯の周波数のシフト分を戻して前記第２の信号に周波数変換する第２の周波数変換工程と、を備えたことを特徴とする周波数変換方法。
【発明の詳細な説明】
【技術分野】
【０００１】
本発明は、入力信号を所望の周波数の信号に変換する周波数変換器、この周波数変換器を備えた送信若しくは受信装置、この送信装置および受信装置を搭載した通信装置、および周波数変換方法に関する。
【背景技術】
【０００２】
従来、無線通信手段を備えた情報処理端末の一種である携帯電話などに搭載されるマイクロ波帯の通信装置は、高周波数の信号を取り扱うため、例えば、受信信号の周波数をより低い周波数（中間周波数）の信号に変換してから信号処理を行うダブルコンバージョン方式やシングルコンバージョン方式が採用されている。
【０００３】
上記コンバージョン方式では、一例として、アンテナから取り込まれた受信信号が、まず、高周波増幅回路で増幅される。続いて、この増幅された信号と特定の周波数の信号を発振する発振回路からの発振信号とを混合する周波数変換器（ミキサ）にて、中間周波数の信号に変換される。この中間周波数の信号は、中間周波数増幅回路で増幅され、復調回路によって復調された後、出力される。
【０００４】
ここで、上記周波数変換においては、受信アンテナから入力されてくる受信波のうち増幅不要な周波数帯の信号を除去させるフィルタ等が用いられている。
【０００５】
ところが、これらのフィルタは、温度変化により周波数特性が変わり、周波数シフトが生じることが知られている。そのため、この周波数シフトを補償する通信装置が提案されている（例えば、特許文献１、２参照）。
【０００６】
特許文献１の通信装置によれば、特定の周波数帯の信号だけを通過させるＢＰＦ（Ｂａｎｄ  Ｐａｓｓ  Ｆｉｌｔｅｒ）の温度を検出する温度センサを設け、温度変化に応じて発生するＢＰＦの周波数シフト分のずれを補償するため、中間周波数の信号の周波数を周波数シフト分ずらす処理がなされている。
【０００７】
また、特許文献２の通信装置によれば、特許文献１と同様、ＢＰＦの温度を検出する温度センサを設けており、周波数変換において、第１の中間周波数と第２の中間周波数とに変換する。具体的には、第１の中間周波数の信号を、ＢＰＦの温度変化による周波数シフト分だけずらした周波数の信号に変換した後、その信号をＢＰＦに通過させ、さらに、第１の中間周波数から周波数シフト分を元に戻した第２の中間周波数の信号に変換する。
【０００８】
【特許文献１】特開平８−２５１０５９号公報
【特許文献２】特開２０００−２８６７３７号公報
【発明の開示】
【発明が解決しようとする課題】
【０００９】
ところで、受信周波数を第１の中間周波数に変換する周波数変換において、発振回路からの入力信号には、通常、定倍成分の高調波が含まれているため、中間周波数のＮ倍（Ｎ＝１、２、３・・・Ｎ）波に起因するスプリアス（不要波）が発生する。このスプリアスも減衰させるなどして除去することが望ましい。しかしながら、上記特許文献１および２では、この温度変化によるスプリアスの減衰に関する有効な手段については特に言及されていない。
【００１０】
ここで、第１の中間周波数の信号をＢＰＦの通過帯域に通過させる場合、第１の中間周波数の信号の周波数帯に近い帯域にスプリアスが発生していると、第１の中間周波数の信号とともにスプリアスも通過させてしまうケースが生じる。そこで、ＢＰＦの通過帯域をより狭める（ＢＰＦの減衰特性を急峻にする）と、第１の中間周波数の信号の周波数帯域の一部をカットしてしまうことになり、この信号の通過損失が大きくなってしまうという問題が生じてしまう。
【００１１】
そこで、第１の中間周波数の近傍に発生するスプリアスなどの不要波を減衰させることが望ましい。そのため、フィルタとして、特定の周波数範囲の周波数の信号だけを減衰させ、それ以外の周波数の信号を通過させるＢＥＦ（Ｂａｎｄ  Ｅｌｉｍｉｎａｔｉｏｎ  Ｆｉｌｔｅｒ）や上記ＢＰＦへの要求仕様が厳しくなっている。特に、ＢＥＦの減衰特性は急峻であり、温度変化に起因するわずかな周波数シフトでも減衰量が大きく変化するため、安定した減衰特性を得るのが難しい。
【００１２】
従来、必要な減衰特性を広範な温度範囲で保証するために高価なＢＰＦやＢＥＦが使用されたり、急峻な減衰特性を得るためにＢＰＦやＢＰＥなどのフィルタの回路構成の部品点数を増やすことにより周波数変換器自体が大型化するなどの問題が生じている。
【００１３】
本発明は、上記事情に鑑み、低コスト、小型化が実現され、不要波を効率良く減衰させる工夫が施された周波数変換器、この周波数変換器を備えた送信若しくは受信装置、この送信装置および受信装置を搭載した通信装置、および周波数変換方法を提供することを目的とする。
【課題を解決するための手段】
【００１４】
上記目的を達成する本発明の周波数変換器は、
入力信号を所望の周波数の信号に変換する周波数変換器であって、
上記入力信号を第１の信号に周波数変換する第１の周波数変換部と、
上記第１の周波数変換部にて周波数変換の際に生じる特定の周波数範囲の特定信号を減衰させるフィルタと、
上記フィルタにて前記特定信号が減衰された後の上記第１の信号を所望の周波数である第２の信号に変換する第２の周波数変換部と、
上記フィルタの温度を測定する温度測定部と、
上記フィルタの温度変化により発生するそのフィルタの減衰周波数帯の周波数のシフトを表す温度特性情報を予め記憶しておく温度特性情報記憶部と、を備え、
上記第１の周波数変換部は、上記温度特性情報に基づいて、上記温度測定部にて測定された温度に対応する上記フィルタの減衰周波数帯の周波数のシフト分ずらして上記入力信号を前記第１の信号に周波数変換し、
上記第２の周波数変換部は、上記第１の周波数変換部にてずらした上記フィルタの減衰周波数帯の周波数のシフト分を戻して上記第２の信号に周波数変換する、ことを特徴とする。
【００１５】
本発明の周波数変換器によれば、まず、上記温度測定部にて、上記フィルタの温度を測定する。続いて、上記第１の周波数変換部は、上記温度特性情報記憶部に記憶されている上記温度特性情報とに基づいて、上記温度測定部にて測定された温度に対応する上記フィルタの減衰周波数帯の周波数のシフト分をずらして上記入力信号を第１の信号に周波数変換する。
【００１６】
次に、上記フィルタにて、上記特定信号を減衰させる。さらに、上記第２の周波数変換部は、上記フィルタにて上記特定信号が減衰された後の第１の信号を所望の周波数である第２の信号に変換するため、上記第１の周波数変換部にてずらした上記フィルタの減衰周波数帯の周波数のシフト分を戻して上記第２の信号に周波数変換する。
【００１７】
これにより、温度変化による上記周波数シフトが生じても、上記フィルタの減衰周波数帯の周波数のシフト分をずらして上記入力信号を第１の信号に周波数変換するため、上記特定信号の周波数を上記フィルタの減衰周波数帯の周波数にシフトさせることができ、上記フィルタにて、上記特定信号は減衰する。
【００１８】
さらに、上記第２の周波数変換部は、上記フィルタにて上記特定信号が減衰された後の第１の信号の周波数がシフトしたままであるので、上記第１の周波数変換部にてずらした上記フィルタの減衰周波数帯の周波数のシフト分を戻して周波数変換する。したがって、温度変化がない場合と同等の効果を得ることができ、周波数変換の際に生じる不要な波の信号を減衰させて除去することができる。
【００１９】
また、必要な減衰特性を広範な温度範囲で保証する必要もなく、急峻な減衰特性を得るために回路構成の部品を増やさずに済むので、低コスト、小型化された周波数変換器が実現される。
【００２０】
また、フィルタが、特定の周波数範囲の周波数の信号だけを減衰させ、それ以外の周波数の信号を通過させるＢＥＦである、ことが好ましい。
【００２１】
上記ＢＥＦは、特定の周波数範囲の周波数の信号だけを減衰させる減衰周波数帯を有しており、効率良く、上記特定信号を減衰させることができる。
【００２２】
また、上記第１の周波数変換部は、上記温度特性情報に基づいて、上記温度測定部にて測定された温度に対応する前記フィルタの減衰周波数帯の周波数のシフト分ずらす第１の混合信号を上記入力信号に混合して上記第１の信号に変換するものであって、
上記第２の周波数変換部は、上記第１の周波数変換部にてずらした上記フィルタの減衰周波数帯の周波数のシフト分を戻す第２の混合信号を上記第１の信号に混合して上記第２の信号に変換するものである、ことが好ましい。
【００２３】
上記構成によれば、上記第１の周波数変換部は、上記温度特性情報に基づいて、上記温度測定部にて測定された温度に対応する前記フィルタの減衰周波数帯の周波数のシフト分をずらす第１の混合信号を上記入力信号に混合して上記第１の信号に変換する。また、上記第２の周波数変換部は、上記第１の周波数変換部にてずらした上記フィルタの減衰周波数帯の周波数のシフト分を戻す第２の混合信号を上記第１の信号に混合して上記第２の信号に変換する。
【００２４】
これにより、上記第１の周波数変換部および上記第２の周波数変換部は、上記温度特性情報とに基づいて周波数変換を行うミキサの機能を有する。
【００２５】
また、上記第１の周波数変換部は、上記温度測定部にて測定された温度と上記温度特性情報とに基づいて、上記特定信号が上記フィルタの減衰周波数帯を通過するよう上記第１の混合信号を上記入力信号に混合して周波数変換する、ことが好ましい。これにより、上記特定信号が効率良く減衰し除去される。
【００２６】
ここで、上記第１の混合信号を上記第１の周波数変換部に入力し、上記第２の混合信号を上記第２の周波数変換部に入力する混合信号入力部をさらに備える、ことが好ましい。上記混合信号入力部は、上記第１の混合信号を上記第１の周波数変換部に入力し、上記第２の混合信号を上記第２の周波数変換部に入力する。これにより、周波数変換の制御がしやすくなる。
【００２７】
また、上記特定信号は、定倍成分の高調波が含まれている信号を周波数変換させた場合に生じるスプリアスである、ことが好ましい。上記スプリアスは、周波数変換において発生することが知られている。さらに、入力信号の周波数に基づいてスプリアスの周波数は予め特定できるので、ＢＥＦの減衰周波数帯をそのスプリアスの周波数に設計することにより、スプリアスは除去される。これにより、高品質な信号が得られる。
【００２８】
また、上記フィルタに加えて、特定の周波数範囲の信号だけを通過させる通過フィルタをさらに備える、ことが好ましい。
【００２９】
上記入力信号が、周波数変換の際に発生するスプリアス以外に不要な波を含んでいる場合には、その不要な波を減衰させることができる。
【００３０】
ここで、上記目的を達成する本発明の受信装置は、
外部から入力された信号を受信する受信器と、
この受信した信号を上記入力信号とし、この入力信号を上記所望の周波数の信号に変換する周波数変換器と、
上記周波数変換器にて変換された所望の周波数の信号を復調する復調器と、を備えたことを特徴とする。
【００３１】
本発明の受信装置によれば、上記受信器が上記入力信号を受信し、上記周波数変換器にて、上記入力信号を所望の周波数の信号に変換する。さらに、上記復調器が、上記周波数変換器にて変換された、所望の周波数帯の信号を復調する。これにより、所望の周波数帯の信号が復調される。
【００３２】
ここで、上記目的を達成する本発明の送信装置は、
外部に送信する信号を変調する変調器と、
この変調された信号を上記入力信号とし、この入力信号を所望の周波数の信号に変換する周波数変換器と、
上記周波数変換器にて変換された所望の周波数の信号を外部に送信する送信器と、を備えたことを特徴とする。
【００３３】
本発明の送信装置によれば、上記変調器が上記入力信号を変調する。続いて、上記周波数変換器にて、上記変調器にて変調された入力信号を所望の周波数の信号に変換する。さらに、上記送信器が上記周波数変換器にて変換された所望の周波数の信号を外部に送信する。これにより、高品質の信号を送信することができる。
【００３４】
ここで、上記目的を達成する本発明の通信装置は、
上記受信装置と、
上記送信装置と、を備えたことを特徴とする。
【００３５】
本発明の通信装置によれば、受信装置にて受信された信号は、所望の周波数帯の信号が復調される。これにより、通信装置は、高品質の信号を得ることができる。また、送信装置に入力された入力信号は、変調された後所望の周波数帯の信号に変換され、外部に送信される。これにより、通信装置は、高品質の信号を外部に送信することができる。
【００３６】
ここで、上記目的を達成する本発明の周波数変換方法は、
入力信号を所望の周波数の信号に変換する周波数変換方法であって、
特定の周波数の特定信号を減衰させるフィルタの温度を測定する温度測定工程と、
上記フィルタの温度変化によるそのフィルタの減衰周波数帯の周波数のシフトを表す温度特性情報とに基づいて、上記温度測定工程にて測定された温度に対応する上記フィルタの減衰周波数帯の周波数のシフト分をずらして上記入力信号を第１の信号に周波数変換する第１の周波数変換工程と、
上記第１の周波数変換工程にて周波数変換の際に生じる上記特定信号を減衰させる減衰工程と、
上記減衰工程にて上記特定信号が減衰された後の第１の信号に対して上記第１の周波数変換部にてずらした上記フィルタの減衰周波数帯の周波数のシフト分を戻して上記第２の信号に周波数変換する第２の周波数変換工程と、を備えたことを特徴とする。
【００３７】
本発明の周波数変換方法によれば、
上記温度測定工程にて、特定の周波数の特定信号を減衰させるフィルタの温度を測定する。続いて、上記第１の周波数変換工程にて、上記フィルタの温度変化によるそのフィルタの減衰周波数帯の周波数のシフトを表す温度特性情報とに基づいて、上記温度測定工程にて測定された温度に対応する上記フィルタの減衰周波数帯の周波数のシフト分をずらして上記入力信号を第１の信号に周波数変換する。続いて、上記減衰工程にて、上記特定信号を減衰させる。
【００３８】
さらに、上記第２の周波数変換工程にて、上記減衰工程にて上記特定信号が減衰された後の第１の信号に対して上記第１の周波数変換部にてずらした上記フィルタの減衰周波数帯の周波数のシフト分を戻して上記第２の信号に周波数変換する。
【００３９】
これにより、周波数変換の際に生じる不要な波の信号を減衰して除去する周波数変換方法が得られる。
【発明の効果】
【００４０】
本発明によれば、温度変化による周波数シフトが生じた場合であっても周波数変換の際に生じる不要波の信号を効率良く減衰して除去する工夫が施された周波数変換器および周波数変換方法、その周波数変換器を備えた送信若しくは受信装置、その送信装置および受信装置を搭載した通信装置が得られる。
【発明を実施するための最良の形態】
【００４１】
以下、図面を参照して本発明の実施形態を説明する。ここでは、まず、本発明の一実施形態としての周波数変換器、その周波数変換器を備えた本発明の一実施形態としての受信装置について説明する。
【実施例１】
【００４２】
[構成]
図１は、本発明の一実施形態としての受信装置の構成図である。
【００４３】
この受信装置１は、大きく分けて、受信部２、本発明の一実施形態としての周波数変換器３、および復調部４から構成されるダブルコンバージョン方式の受信装置である。
【００４４】
受信部２には、アンテナ２１、ＢＰＦ２２、低雑音増幅回路（ＬＮＡ：Ｌｏｗ  Ｎｏｉｓｅ  Ａｍｐｌｉｆｉｅｒ）２３が設けられている。受信部２では、アンテナ２１より受信した信号（入力信号）は、受信周波数帯（数ＧＨｚ〜数十数ＧＨｚ）のＢＰＦ２２を通過した後、ＬＮＡ２３にて信号増幅される。
【００４５】
また、周波数変換器３には、第１のミキサ３１、ＢＥＦ３２、増幅器３３、第２のミキサ３４、混合信号入力部３５、温度情報特性記憶部３６、および温度センサ３７が設けられている。
【００４６】
第１のミキサ３１は、ＬＮＡ２３にて信号増幅された入力信号を第１次中間周波数（１０００ＭＨｚ）の信号に変換するものである。この第１次中間周波数（１０００ＭＨｚ）の信号が、本発明にいう第１の信号の一例に相当する。ＢＥＦ３２は、特定の周波数範囲の周波数の信号だけを減衰させ、それ以外の周波数の信号を通過させるものであり、第１次中間周波数の信号がＢＥＦ３２を通過すると、スプリアスが減衰され除去される。詳細は後述する。
【００４７】
第２のミキサ３４は、ＢＥＦ３２を通過し増幅器３３で増幅された第１次中間周波数を第２次中間周波数（数十ＭＨｚ〜数百ＭＨｚ）に変換するものである。温度センサ３７は、ＢＥＦ３２の温度を測定するセンサである（温度測定手段）。この温度センサ３７が本発明にいう温度測定部の一例に相当する。温度情報特性記憶部３６は、ＢＥＦ３２の温度変化によるＢＥＦ３２の減衰周波数帯の周波数のシフトを表す温度特性情報を記憶しているメモリである。
【００４８】
図２は、温度情報特性記憶部内の情報の一例を示す図である。温度特性情報テーブル３６１には、温度情報に応じて予め周波数シフトが対応付けられている。この周波数シフトが本発明にいう温度特性情報の一例に相当する。
【００４９】
混合信号入力部３５は、温度特性情報テーブル３６１を読み出し、第１のミキサ３１および第２のミキサ３４にて、適切な周波数変換を行うものである。
【００５０】
図３は、混合信号入力部の構成図である。この混合信号入力部３５には、制御部３５１、局部発振器３５４が設けられている。この制御部３５１は、中央処理装置（ＣＰＵ：Ｃｅｎｔｒａｌ  ｐｒｏｃｅｓｓｉｎｇ  Ｕｎｉｔ）であって、この混合信号入力部３５の動作を総合的に制御するものである。この制御部３５１には、プログラムが組み込まれることによって、温度検出部３５２、および周波数変換制御部３５３が構築される。
【００５１】
局部発振器３５４は、ＰＬＬ（Ｐｈａｓｅ  Ｌｏｃｋｅｄ  Ｌｏｏｐ）周波数シンセサイザであって、水晶発振回路が出力する基準周波数をもとに、電圧制御回路が出力する周波数を位相比較回路で比較し、差があれば位相比較回路の差に応じた信号を発生させ、安定した周波数を発振させる。これにより、第１の混合信号および第２の混合信号を安定して発振させることができる。
【００５２】
温度検出部３５２は、温度センサ３７の温度を検出するものである。周波数変換制御部３５３は、温度特性情報テーブル３６１を読み出し、温度検出部３５２が検出した温度に対応付けられた周波数シフトの情報を用いて、周波数シフト分ずらして周波数変換する第１の混合信号および周波数シフト分戻して周波数変換する第２の混合信号の周波数を導出する。さらに、局部発振器３５４に指示を出すことにより、局部発振器３５４は、第１の混合信号を発振して第１のミキサ３１に入力し、他方、第２の混合信号を発振してて第２のミキサ３４に入力する。
【００５３】
また、復調部４には、ＢＰＦ４１、増幅器４２、および復調器（ＤＥＭ：Ｄｅｍｏｄｕｌａｔｏｒ）４３が設けられている。第２のミキサ３４にて変換された第２次中間周波数の信号は、ＢＰＦ４１を通過して増幅器４２で増幅された後、ＤＥＭ４３にて復調される。
【００５４】
次に、ＢＥＦの温度特性および本発明の周波数変換方法の原理について説明する。
【００５５】
図４は、ＢＥＦの温度変化による周波数シフトの一例を説明する図である。ＢＥＦは温度変化に応じて、減衰周波数帯が周波数シフトすることが知られている。図４において、横軸は周波数（Ｆｒｅｑｕｅｎｃｙ（ＭＨｚ））を表し、縦軸は、減衰（Ａｔｔｅｎｕａｔｉｏｎ、（ｄＢ））を表している。
【００５６】
ここでは、一例として、横軸の０は、ＢＥＦの減衰周波数帯の中心周波数が、１３００．００ＭＨｚであることを表しており、左右に±５０ＭＨｚの周波数シフト（Δｆ）の目盛がふられている。縦軸は、減衰０〜１００ｄＢの範囲の目盛がふられている。図中ｂで示す範囲の減衰周波数帯が設計時の特性を表しており、温度変化によって、図中ａやｃに示す範囲に減衰周波数帯がシフトする。このＢＥＦの減衰周波数帯の周波数シフトが温度変化により発生すると、スプリアスの周波数とＢＥＦの減衰周波数帯の中心周波数がずれてしまうため、十分にスプリアスを減衰することができなくなる。
【００５７】
一般的に高価な部品であるほど、周波数シフト（変化幅）は小さくなるが、動作保証温度範囲や部品のバラツキを考慮し、コストに応じた特性のＢＥＦが選定されることになる。
【００５８】
図５は、ＢＥＦの減衰特性の一例を説明する図である。横軸、縦軸は、図４と同様である。ＢＥＦの減衰特性は急峻であり、わずかな周波数のずれでも減衰量が大きく変化するため、安定した減衰特性を得るのは難しい。
【００５９】
図５に示すように、ＢＥＦの回路を３つ結合させた３段構成の場合には、中心周波数から±５ＭＨｚの減衰量は、図中ａで示す通り、３２．６ｄＢである。また、中心周波数から±１０ＭＨｚの減衰量は、図中ｂで示す通り、１５．３ｄＢである。
【００６０】
また、図５に示す通り、ＢＥＦの回路を５つ結合させた５段構成の場合には、中心周波数から±５ＭＨｚの減衰量は、図中ｃで示す通り、７６．０ｄＢである。また、中心周波数から±１０ＭＨｚの減衰量は、図中ｄで示す通り、４６．９ｄＢである。したがって、数ＭＨｚの周波数シフトでも減衰量の変化が大きい。一方、常にスプリアスが減衰周波数帯の中心にあれば十分な減衰量が得られる。
【００６１】
次に、本発明の一実施形態である周波数変換方法を説明する。
【００６２】
図６は、本発明の一実施形態である周波数変換方法を説明する図である。ここでは、受信周波数を数ＧＨｚ〜数十ＧＨｚ帯とし、第１次中間周波数を１０００ＭＨｚ程度、第２次中間周波数を数十ＭＨｚ〜数百ＭＨｚとする。まず、設計通りの条件である場合の信号の流れについて説明する。
【００６３】
図６（１ａ）〜（６ａ）は、常温で動作保障がされている設計通りの条件での信号の流れを表す概念図である。まず、図１に示す受信部２で受信した受信周波数の通信信号（図６（１ａ））は、第１のミキサ３１にて、第１次中間周波数の信号に変換される。この際、スプリアスが発生する（図６（２ａ））。続いて、第１次中間周波数の信号がＢＥＦ３２を通過すると、ＢＥＦの減衰周波数帯をスプリアスが通過するため、スプリアスが減衰される（図６（３ａ））。
【００６４】
続いて、第２のミキサ３４にて、第２次中間周波数の信号に変換される（図６（４ａ））。そして、第２次中間周波数の信号がＢＰＦ４１を通過すると（図６（５ａ））、スプリアスはさらに減衰し、復調される。この復調信号はスプリアスなどの不要波が十分に除去されており、信号劣化のない優れた品質が提供される（図６（６ａ））。
【００６５】
次に、従来例におけるＢＥＦの減衰周波数帯が温度変化により周波数シフトした場合の信号の流れを説明する。
【００６６】
図６（１ｂ）〜（６ｂ）は、ＢＥＦの減衰周波数帯が温度変化により周波数シフトした場合の信号の流れを表す概念図である。まず、図６（１ａ）同様、受信部２で受信した受信周波数の通信信号（図６（１ｂ））は、第１のミキサ３１にて、第１次中間周波数の信号に変換される。
【００６７】
この第１次中間周波数の信号は、ＢＥＦ３２を通過するが（図６（２ｂ））、ＢＥＦの減衰周波数帯がずれてしまっているため十分な減衰量が得られない（図６（３ｂ））。そして、この状態で第２のミキサ３４にて、第２次中間周波数の信号に変換される（図６（４ｂ））。この場合、第２次中間周波数の信号がＢＰＦ４１を通過しても（図６（５ｂ））、ＢＰＦが温度変化により周波数シフトを起こすため、スプリアスは十分に減衰されずに復調される（図６（６ｂ））。そのため、信号品質が劣化し復調感度が劣化する。
【００６８】
次に、本発明の周波数変換を施した場合の信号の流れを説明する。
【００６９】
図６（１ｃ）〜（６ｃ）は、本発明の周波数変換を施した場合の信号の流れを表す概念図である。まず、図６（１ａ）同様、受信部２で受信した受信周波数の通信信号（図６（１ｃ））は、第１のミキサ３１にて、第１次中間周波数の信号に変換される（図６（１ｃ））。
【００７０】
ここで、温度変化によりＢＥＦ３２の減衰周波数帯が周波数シフトした場合、まず第１次中間周波数への変換において次の処理を行う。第１次中間周波数への周波数変換の際に発生するスプリアスは第１次中間周波数との周波数シフトが常に一定となるため、スプリアスがＢＥＦ３２の減衰周波数帯を通過するように周波数を補正して周波数変換を行う。
【００７１】
例えば、ＢＥＦの周波数シフトが＋５ＭＨｚであった場合、第１次中間周波数への変換も＋５ＭＨｚずらした周波数となるように行う。図３に示す周波数変換制御部３５３は、温度センサ３７にて測定した温度に基づいて、温度情報特性記憶部３６内の温度情報特性テーブルから周波数シフト（５ＭＨｚ）を読み出し、局部発振器３５４に指示を出して、第１のミキサ３１に対して、周波数シフト分（５ＭＨｚ）ずらして周波数変換する第１の混合信号を発振させる。そして、第１のミキサ３１にて周波数変換を行なう（図６（２ｃ））。
【００７２】
この時、スプリアスも＋５ＭＨｚずれた周波数で発生するため、ＢＥＦの減衰周波数帯を通過させることが出来、スプリアスは十分に除去される（図６（３ｃ））。
【００７３】
ところで、第１次中間周波数の周波数を変更したため、この信号をそのまま第２次中間周波数へ変換すると、信号周波数のずれにより復調感度が劣化する。特に第１次中間周波数は第２次中間周波数に比べて周波数が高く、例えば第１次中間周波数で１ＭＨｚのずれは問題なくても第２次中間周波数では大きな問題となる場合がある。
【００７４】
そこで、本発明の周波数変換方法の特徴として、さらに第２次中間周波数への変換において、第１次中間周波数で行った補正を補うように周波数を設定して周波数変換を行う（第２の周波数変換手段）。補正の導出方法は第１次中間周波数の場合と同じであり、本例では第１次中間周波数への変換で＋５ＭＨｚの変換を行ったので、第２次中間周波数への変換では−５ＭＨｚの補正をかけて周波数変換を第２のミキサ３４にて行う（（図６（４ｃ）））。
【００７５】
この周波数変換の結果、第２次中間周波数では、常にスプリアスの減衰が十分に行われた一定の周波数を得ることが出来るようになる。さらに、スプリアスは安定して十分に除去されているので、ＢＰＦ４１が温度変化により周波数シフトを起こしている場合であっても、第２次中間周波数で通過するＢＰＦ４１への減衰要求量を小さくすることができる（（図６（５ｃ）））。そして、第２次中間周波数の信号が復調される。この復調信号はスプリアスなどの不要波が十分に除去されており、信号劣化のない優れた品質の信号が提供される（図６（６ｃ））。
【００７６】
次に、具体的に数式を用いて周波数変換方法の原理について、さらに説明を続ける。
【００７７】
図７は、周波数変換方法の原理を説明する図である。周波数変換制御部３５３は、温度特性情報テーブル３６１を読み出し、以下の周波数変換の演算を行い、局部発振器３５４より第１の混合信号、第２の混合信号を発振させる。図７（ａ）は、ＢＥＦの設計温度時の周波数変換の一例を示す図である。図７（ｂ）は、温度変化時の周波数変換の一例を示す図である。本実施例では、各信号の周波数（Ｈｚ）を以下のように定義する。
【００７８】
受信周波数：ｆ（ＲＦ）、
第１次中間周波数（設計温度時）：ｆ（ＩＦ１）、
第１次中間周波数（温度変化時）：ｆ（ＩＦ１Ｔ）、
第２次中間周波数（設計温度時）：ｆ（ＩＦ２）、
第２次中間周波数（温度変化時）：ｆ（ＩＦ２Ｔ）、
スプリアスの発生周波数（設計温度時）：ｆ（ＳＰ）、
スプリアスの発生周波数（温度変化時）：ｆ（ＳＰＴ）、
ＢＥＦの中心周波数（設計温度時）：ｆ（ＢＥＦ）＝ｆ（ＳＰ）、
ＢＥＦの中心周波数（温度変化時）：ｆ（ＢＥＦＴ）、（温度に応じて変化）、
受信周波数を第１次中間周波数に変換するための第１次局部発信周波数：ｆ（ＬＯ１）、
第１次中間周波数を第２次中間周波数に変換するための第２次局部発信周波数：ｆ（ＬＯ２）
温度変化時のＢＥＦの周波数シフトを表す周波数：Δｆ１
第１次中間周波数（設計温度時）とスプリアスの発生周波数との差分の周波数：Δｆ２
なお、第１次局部発信周波数が、本発明にいう第１の混合信号の一例に相当し、第２次局部発信周波数が、本発明にいう第１の混合信号の一例に相当する。
【００７９】
ここでは、まず、ＢＥＦの設計温度時の周波数変換の一例を説明する。受信周波数：ｆ（ＲＦ）から受信周波数を第１次中間周波数に変換する場合、
ｆ（ＩＦ１）＝ｆ（ＲＦ）−ｆ（ＬＯ１）（１）
が適用される。また、第１次中間周波数から第１次中間周波数に変換する場合、
ｆ（ＩＦ２）＝ｆ（ＩＦ１）−ｆ（ＬＯ２）（２）
が適用される。この場合は、ＢＥＦの中心周波数（設計温度時）とスプリアスの発生周波数が一致しており、Δｆ２は常に一定であるので、ｆ（ＢＥＦ）＝ｆ（ＳＰ）となり、スプリアスは除去される。
【００８０】
次に、温度変化時の周波数変換の一例を説明する。図７（ｂ）に示すように、温度変化が発生すると、ＢＥＦの中心周波数がシフトする。温度変化時のＢＥＦの周波数シフトを表す周波数は、
Δｆ１＝ｆ（ＢＥＦ）−ｆ（ＢＥＦＴ）  （３）
となる。この（３）式を考慮して、受信周波数：ｆ（ＲＦ）から受信周波数を第１次中間周波数に変換する場合、
ｆ（ＩＦ１Ｔ）＝ｆ（ＲＦ）−｛ｆ（ＬＯ１）＋Δｆ１｝  （４）
が適用される。ここで、（１）式をｆ（ＲＦ）＝ｆ（ＩＦ１）＋ｆ（ＬＯ１）と変形し、（４）式に代入すると、
ｆ（ＩＦ１Ｔ）＝ｆ（ＩＦ１）−Δｆ１  （５）
となる。このｆ（ＩＦ１Ｔ）は、ＢＥＦの温度変化に応じて、Δｆ１を補正した周波数になるように、ｆ（ＬＯ１）を設定する。これにより、スプリアスがＢＥＦ３２の減衰周波数帯を通過するように変換周波数を補正することができる。したがって、ＢＥＦの中心周波数（温度変化時）とスプリアスの発生周波数（温度変化時）が一致し、ｆ（ＢＥＦＴ）＝ｆ（ＳＰＴ）となり、スプリアスは除去される。
【００８１】
なお、この状態では、第１次中間周波数も周波数がシフトしているので、周波数のシフトを戻す周波数変換を行う。すなわち、第２次中間周波数への変換において、第１次中間周波数で行った補正を補うように周波数設定を行う。第２次中間周波数（温度変化時）は、
ｆ（ＩＦ２Ｔ）＝ｆ（ＩＦ１Ｔ）−｛ｆ（ＬＯ２）−Δｆ１｝（６）
が適用される。ここで、（５）式を（６）式に代入すると、
ｆ（ＩＦ２Ｔ）＝ｆ（ＩＦ１）−Δｆ１−ｆ（ＬＯ２）＋Δｆ１
＝ｆ（ＩＦ１）−ｆ（ＬＯ２）（７）
が得られる。ここで、周波数シフトを補正して、ｆ（ＩＦ２Ｔ）＝ｆ（ＩＦ２）にするためには、ｆ（ＩＦ２）＝ｆ（ＩＦ１）−ｆ（ＬＯ２）が成立する必要があり、この条件を満たすよう第２次局部発信周波数ｆ（ＬＯ２）を設定する。この（７）式の周波数変換を行うことにより、第２次中間周波数の周波数のシフトが元に戻され、常にスプリアスの減衰が十分に行われた信号が得られる。
【００８２】
[動作]
次に周波数変換器３を搭載した受信装置１の動作について説明する。
【００８３】
図８は、本発明の一実施形態である周波数変換器による周波数変換の処理の一例を表すフローチャートである。この処理ルーチンは、受信装置の電源がオンされると開始される。
【００８４】
まず、図３に示す温度検出部３５２は、温度センサ３７にて、図１に示すＢＰＦ３２の温度を検出する（ステップＳ１０１、温度測定工程）。続いて、周波数変換制御部３５３は、図２に示す温度特性情報テーブル３６１を読み出し、温度測定工程にて検出した温度からＢＥＦ３２の周波数シフトΔｆ（ＭＨｚ）を周波数変換用のパラメータとして設定する。なお、温度測定工程では、常時、温度センサ３７にて温度を測定しており、ＢＥＦ３２の温度が変化すると、それに伴い周波数変換制御部３５３は、周波数シフトΔｆ（ＭＨｚ）を変更する。
【００８５】
続いて、周波数変換制御部３５３は、局部発振器３５４に指示を出して、第１次局部発信周波数から周波数シフトΔｆ（ＭＨｚ）分をずらした周波数の信号（ｆ（ＬＯ１）＋Δｆ１）を発振させ、第１のミキサ３１に入力する。ここで、受信部２にて、受信周波数ｆ（ＲＦ）の受信信号を受信すると、その受信信号は、そのＢＰＦ２２を通過し、ＬＮＡ２３にて増幅されて、第１のミキサ３１に入力される。そして、上述した（４）式の周波数変換が施されて、第１次中間周波数ｆ（ＩＦ１）に変換される（ステップＳ１０３、第１の周波数変換工程）。
【００８６】
次に、第１次中間周波数ｆ（ＩＦ１）はＢＥＦ３２を通過する。この際、ＢＥＦの中心周波数（温度変化時）とスプリアスの発生周波数（温度変化時）が一致しているため、ｆ（ＢＥＦＴ）＝ｆ（ＳＰＴ）となり、スプリアスは除去される（減衰工程）。
【００８７】
ここで、周波数変換制御部３５３は、局部発振器３５４に指示を出し、周波数シフトΔｆ（ＭＨｚ）分をずらした周波数の信号をもとに戻すための第２次局部発信周波数ｆ（ＬＯ２）を発振させ、第２のミキサ３４に入力する。また、減衰工程にてスプリアスが除去された第１次中間周波数ｆ（ＩＦ１）は第２のミキサ３４に入力される。その結果、上述した（７）式の周波数変換が施されて、第２次中間周波数ｆ（ＩＦ２）に変換される（ステップＳ１０５、第２の周波数変換工程）。
そして、この処理ルーチンは終了し、周波数変換された第２次中間周波数ｆ（ＩＦ２）は、復号部４にて、ＢＰＦ４１を通過し、増幅器４２で増幅された後、ＤＥＭ４３にて復調され、高品質の信号が得られる。
【実施例２】
【００８８】
[構成]
次に、本発明の第２の実施例について説明する。なお、本発明の第１の実施例と本発明の第２の実施例とでは、内部構成が一部異なるが、それ以外はほぼ同様の構成を有するため、同じ要素については同じ符号を付して説明を省略し、実施例１と異なる構成について詳細に説明する。
【００８９】
図９は、第２の実施例における受信装置の構成図である。本発明の第２の実施例では、図１に示すＢＥＦ３２の前段にＢＰＦ３８を新たに設けた。受信部２のＢＰＦ２２にて不要波が除去されずに残った場合に、第１次中間周波数ｆ（ＩＦ１）の段階で除去する。
【００９０】
図１０は、ＢＰＦの減衰特性の一例を表した図である。図１０（ａ）に示すように、受信信号の中心周波数から離れて不要波が発生した場合について考える。この場合、図１０（ｂ）に示すように、ＢＰＦにて除去される。ＢＰＦは減衰特性が緩やかなため、温度により周波数シフトが生じても不要波は十分に減衰できる。そのため設計が容易であり、周波数シフトを考慮せずに済む。
【００９１】
一方、図１０（ｃ）に示すように、受信信号から近傍に不要波（スプリアス）が発生した場合について考える。この場合、ＢＰＦでスプリアスを除去するためには、ＢＰＦの減衰特性を急峻にしなければならず、図１０（ｄ）に示すように設計が困難になる。また、周波数シフトを考慮すると、受信信号の一部も減衰させてしまう。
【００９２】
そこで、第２の実施例では、受信部２にて減衰されなかった受信信号から離れた不要波（アンテナからの入力）があった場合には、ＢＰＦ３２で減衰させ、受信信号近傍に発生したスプリアスは、ＢＥＦ３２で減衰させる構成とする。
【００９３】
図１１は、第２の実施例における不要波の除去を説明する図である。図１１（ａ）に示すように、周波数変換した受信信号において、受信信号近傍に不要波（スプリアス）が発生し、受信部２にて減衰されなかった不要波（アンテナからの入力）が存在する場合について説明する。この場合、不要波（アンテナからの入力）はＢＰＦ３８で減衰される。一方、スプリアスは、ＢＥＦ３２で減衰される。
【００９４】
[動作]
次に、第２の実施例における周波数変換器３を搭載した受信装置１の動作について説明する。
【００９５】
ここでは、上述した図８のフローチャートの処理ルーチンが適用され、ステップＳ１０４の減衰工程にて、アンテナからの入力の不要波はＢＰＦ３８で減衰され、スプリアスは、ＢＥＦ３２で減衰される。
【実施例３】
【００９６】
[構成]
次に、本発明の第３の実施例について説明する。第３の実施例では、本発明の周波数変換装置を搭載した送信装置について説明する。
【００９７】
図１２は、本発明の一実施形態である送信装置の構成図である。この送信装置１１は、大きく分けて、変調部５、周波数変換器７、送信部６から構成される。送信部６には、アンテナ２１、ＢＰＦ２２、送信信号増幅部２４が設けられている。送信信号増幅部２４は、第２のミキサ３４で周波数変換された信号を増幅するものである。周波数変換器７は、第１のミキサ３１、ＢＥＦ３２、増幅器３９、第２のミキサ３４の配置が、周波数変換器３と異なる。
【００９８】
また、変調部５には、ＢＰＦ５１、増幅器５２、および変調器（ＭＯＤ：Ｍｏｄｕｌａｔｏｒ）５３が設けられている。変調器５３は入力信号を高周波信号に変調するものである。
【００９９】
[動作]
次に、周波数変換器７を搭載した送信装置１１の動作について説明する。外部から入力された入力信号は、変調器５３にて、高周波信号に変調される。さらに、この高周波信号は、増幅器５２で増幅され、ＢＰＦ５１を通過して第１のミキサ３１に入力される。
【０１００】
第１のミキサ３１では、温度変化による周波数シフト分をずらして第１の送信周波数に周波数変換する。第１の送信周波数の信号はＢＥＦ３２を通過し、その際、スプリアスが減衰される。続いて、増幅器３９で増幅された後、第２のミキサ３４にて、温度変化による周波数シフト分を戻して第２の送信周波数に周波数変換する。
【０１０１】
第２の送信周波数は、送信信号増幅器２４で増幅されＢＰＦ２２を通過した後、アンテナ２１から電波として発信される。これにより、不要波（スプリアス）の放射を防ぐことができる。
【実施例４】
【０１０２】
[構成]
次に、本発明の第４の実施例について説明する。第４の実施例では、本発明の通信装置について説明する。
【０１０３】
図１３は、本発明の一実施形態である通信装置の構成図である。この通信装置１２は、本発明の一実施形態の受信装置と送信装置とを組み込んだ送受信共用装置である。なお、この通信装置には、新たに送受共用器２０を設けた。この送受共用器２０は、電波の送受信を1本のアンテナで共用するものである。
【０１０４】
[動作]
次に、通信装置１２の動作について説明する。この通信装置１２は、アンテナ２１より送受共用器２０を介して受信信号を受信する場合、既に述べた受信装置１１と同様の動作をする。また、送受共用器２０を介してアンテナ２１から送信信号を送信する場合には、既に述べた送信装置と同様の動作をする。
【０１０５】
以上説明したように、本発明においては、以下に記載するような効果を奏する。第１の効果は、本発明の周波数変換器により、スプリアスを除去することができる。
【０１０６】
第２の効果は、ＢＥＦ自体の温度条件（周波数シフト）、減衰特性等の要求を下げることができる。温度条件の要求が下がれば、安価な部品でＢＥＦを実現することが可能となり、周波数変化量を含めた広帯域な減衰特性も不要となる。よって、ＢＥＦは狭帯域な減衰特性を有していれば良く、信号周波数の近傍で減衰域を設けることが可能なため、近傍で発生するスプリアスに対しても十分な減衰量を得る設計が可能となる。さらに、狭帯域であれば段数を少なくすることが可能であるため、使用部品の削減によるばらつきの最小化と実装面積の縮小による小型化を実現できる。
【０１０７】
第３の効果は、本発明にその他の特別に高価な部品や構成は不要であり、汎用のメモリ等に上述した周波数シフトを保持させ、周波数変換の時にそれを利用するという単純な構成で実現できる。
【０１０８】
第４の効果は、第１次中間周波数での補正変換を第２次中間周波数への変換でフィ−ドバック補正するため、大きな周波数補正を行ったとしても、ずれのない常に一定の周波数で復調を行うことができる。また、変調においても同様である。これは、温度変化の大きいマイクロ波帯以上の高周波数を扱う通信装置において特に有効である。
【０１０９】
なお、本発明の周波数変換装置では、ＢＥＦについて温度変化による周波数シフトのずれの補正を適用したが、ＢＥＦに限られるものではなく、ＨＰＦ（Ｈｉｇｈ  Ｐａｓｓ  Ｆｉｌｔｅｒ）、ＬＰＦ（Ｌｏｗ  Ｐａｓｓ  Ｆｉｌｔｅｒ）に置き換えても適用可能である。
【産業上の利用可能性】
【０１１０】
本発明は、マイクロ波帯以上の高周波を扱う通信装置に利用することができ、産業上の利用可能性を有する。
【図面の簡単な説明】
【０１１１】
【図１】本発明の一実施形態としての受信装置の構成図である。
【図２】温度情報特性記憶部内の情報の一例を示す図である。
【図３】混合信号入力部の構成図である。
【図４】ＢＥＦの温度変化による周波数シフトの一例を説明する図である。
【図５】ＢＥＦの減衰特性の一例を説明する図である。
【図６】本発明の一実施形態である周波数変換方法を説明する図である。
【図７】周波数変換方法の原理を説明する図である。
【図８】本発明の一実施形態である周波数変換器による周波数変換の処理の一例を表すフローチャートである。
【図９】第２の実施例における受信装置の構成図である。
【図１０】ＢＰＦの減衰特性の一例を表した図である。
【図１１】第２の実施例における不要波の除去を説明する図である。
【図１２】本発明の一実施形態である送信装置の構成図である。
【図１３】本発明の一実施形態である通信装置の構成図である。
【符号の説明】
【０１１２】
１  受信装置
２  受信部
３、７  周波数変換器
４  復調部
５  変調部
６  送信部
１１  送信装置
１２  通信装置
２０  送受共用器
２１  アンテナ
２２、３８、４１、５１、５９、６１  ＢＰＦ
２３  ＬＮＡ
２４、５８  送信信号増幅部
３１、５４  第１のミキサ
３２  ＢＥＦ
３３、３９、４２、５２、５６  増幅器
３４、５７  第２のミキサ
３５  混合信号入力部
３６  温度情報特性記憶部
３７  温度センサ
４３  ＤＥＭ
５３  ＭＯＤ
３５１  制御部
３５２  温度検出部
３５３  周波数変換制御部
３５４  局部発振器
３６１  温度特性情報テーブル
【図１】
2008288640.tif 000003
【図２】
2008288640.tif 000004
【図３】
2008288640.tif 000005
【図４】
2008288640.tif 000006
【図５】
2008288640.tif 000007
【図６】
2008288640.tif 000008
【図７】
2008288640.tif 000009
【図８】
2008288640.tif 000010
【図９】
2008288640.tif 000011
【図１０】
2008288640.tif 000012
【図１１】
2008288640.tif 000013
【図１２】
2008288640.tif 000014
【図１３】
2008288640.tif 000015